(57)【要約】【課題】長期間清掃が行われなかった場合でも、後外枠のネジを容易に取り外すことができる加熱調理器を提供する。【解決手段】本体ケース１と、天板２の外周部のうち少なくとも後部に装着され、吸気口３２及び排気口３３を有し、本体ケース１の上部に天板２と共に設けられた後外枠３１と、後外枠３１に取り外し可能に設けられ、吸気口３２及び排気口３３を覆う吸排気カバー１７とを備え、後外枠３１は、本体ケース１にネジ３６で固定され、ネジ３６の頭部は、カバー部材３７で覆われている。【選択図】図２
2014074572.tif 000002
【特許請求の範囲】
【請求項１】
本体ケースと、
天板の外周部のうち少なくとも後部に装着され、吸気口及び排気口を有し、前記本体ケースの上部に当該天板と共に設けられた後外枠と、
前記後外枠に取り外し可能に設けられ、前記吸気口及び前記排気口を覆う吸排気カバーとを備え、
前記後外枠は、前記本体ケースにネジで固定され、
前記ネジの頭部は、カバー部材で覆われていることを特徴とする加熱調理器。
【請求項２】
前記カバー部材は、前記ネジの頭部に設けられた穴に差し込まれて、当該ネジの頭部を覆っていることを特徴とする請求項１記載の加熱調理器。
【請求項３】
前記カバー部材は、前記後外枠に着脱自在に取り付けられ、前記ネジの頭部を覆っていることを特徴とする請求項１記載の加熱調理器。
【請求項４】
前記カバー部材は、前記後外枠に取り付けられた状態で、略中央を支点として、外力で前記ネジの頭部を覆う部分が上下に回動自在であることを特徴とする請求項３記載の加熱調理器。
【請求項５】
前記カバー部材は、前記ネジの頭部と対向するように前記吸排気カバーに設けられていることを特徴とする請求項１記載の加熱調理器。
【請求項６】
前記後外枠は、当該後外枠を貫通する前記ネジの挿入穴の周囲を囲むように、前記後外枠から上方に突出して形成された凹部を備え、
前記吸排気カバーで前記後外枠を覆ったときに、前記凹部内に位置する前記ネジの頭部が前記カバー部材により覆われることを特徴とする請求項５記載の加熱調理器。
【発明の詳細な説明】
【技術分野】
【０００１】
本発明は、天板に載置された調理鍋を加熱調理する加熱調理器に関するものである。
【背景技術】
【０００２】
従来の加熱調理器では、天板を本体ケースに取り付ける際、天板のサイズが大きく重量があることから、ネジで本体ケースに固定している。そのうち、天板の後部に設けられた後外枠のネジは、意匠上の問題から吸排気カバーで隠すようにしている（例えば、特許文献１参照）。
【先行技術文献】
【特許文献】
【０００３】
【特許文献１】特開２００５−３４４９５８号公報（第５頁、図１）
【発明の概要】
【発明が解決しようとする課題】
【０００４】
しかしながら、前述した従来の加熱調理器では、吸気口と排気口を有する後外枠は、天板と略同一面であるため、調理鍋から煮こぼれが流れ込むことがある。また、後外枠に調理物が飛び跳ねたり、グリル調理庫から排気される油煙が付着することがある。そのため、長期間清掃が行われなかった場合には、ネジの頭部に設けられた十字穴が汚物で塞がったり腐食したりして、工具が使用できないことがあった。
【０００５】
本発明は、前述のような課題を解決するためになされたもので、長期間清掃が行われなかった場合でも、後外枠のネジを容易に取り外すことができる加熱調理器を提供することを目的とする。
【課題を解決するための手段】
【０００６】
本発明に係る加熱調理器は、本体ケースと、天板の外周部のうち少なくとも後部に装着され、吸気口及び排気口を有し、本体ケースの上部に当該天板と共に設けられた後外枠と、後外枠に取り外し可能に設けられ、吸気口及び排気口を覆う吸排気カバーとを備え、後外枠は、本体ケースにネジで固定され、ネジの頭部は、カバー部材で覆われている。
【発明の効果】
【０００７】
本発明によれば、後外枠を本体ケースに固定しているネジの頭部をカバー部材で覆うようにしている。そのため、加熱調理器を長期間清掃を行わなかった場合でも、ネジの頭部に形成された十字穴に調理物や油などが入り込むことがなくなり、容易に工具でネジを取り外したり、取り付けることができる。
【図面の簡単な説明】
【０００８】
【図１】実施の形態１に係る加熱調理器の外観を示す斜視図。
【図２】図１の加熱調理器において後外枠を固定する前の斜視図。
【図３】実施の形態２の加熱調理器において後外枠を固定する前の斜視図。
【図４】図３のカバー部材でネジの頭部を覆った状態の斜視図。
【図５】図４のカバー部材をＡ−Ａ方向から見て示す吸排気カバー、カバー部材、ネジ及び後外枠の断面図。
【図６】実施の形態３の加熱調理器において後外枠を固定する前の斜視図。
【図７】図６のカバー部材を拡大して示す斜視図。
【図８】実施の形態４の加熱調理器において後外枠を固定する前の斜視図。
【図９】図８に示すＢ部分の拡大斜視図。
【図１０】図８の後外枠を吸排気カバーで覆う前の斜視図。
【図１１】図１０のネジをＣ−Ｃ方向から見て示す吸排気カバー、カバー部材、ネジ及び後外枠の断面図。
【図１２】実施の形態５の加熱調理器において後外枠を固定する前の斜視図。
【図１３】図１２のネジをＤ−Ｄ方向から見て示す吸排気カバー、カバー部材、ネジ及び後外枠の断面図。
【図１４】実施の形態６の加熱調理器において後外枠を吸排気カバーで覆う前の斜視図。
【図１５】図１４のネジをＥ−Ｅ方向から見て示す吸排気カバー、カバー部材、ネジ及び後外枠の断面図。
【発明を実施するための形態】
【０００９】
実施の形態１．
図１は実施の形態１に係る加熱調理器の外観を示す斜視図、図２は図１の加熱調理器において後外枠を固定する前の斜視図である。
実施の形態１の加熱調理器は、図１に示すように、本体ケース１の上部に設けられた天板２と、本体ケース１内に天板２に近接して配置された例えば円環状の左加熱コイル、右加熱コイル及び中央加熱コイルと、本体ケース１内に各加熱コイルより下方の位置に調理庫が配置されたグリル調理器１６とを主要部品として備えている。なお、本実施の形態においては、加熱コイルを３つとしているが、そのうちの中央加熱コイルに代えて、ラジエントヒーターを用いてもよい。
【００１０】
天板２は、耐熱強化ガラスより構成され、外周端部に額縁状の外枠３が装着された状態で本体ケース１に取り付けられている。この天板２は、サイズが大きく重量があることから、少なくとも天板２の後方に装着された後外枠３１が本体ケース１にネジで固定されている。天板２には、左加熱コイルに対向する部分に調理鍋の載置位置を示す左載置部４が設定され、右加熱コイルに対向する部分に右載置部５が設定されている。さらに、中央加熱コイルに対向する部分に調理鍋の載置位置を示す中央載置部６が設定されている。
【００１１】
天板２の前端部には、左加熱コイルの動作状態などを表示する左表示部７と火力表示部８、右加熱コイルの動作状態などを表示する右表示部９と火力表示部１０、中央加熱コイル又はグリル調理器１６の動作状態を表示する中央表示部１１が設けられている。天板２の中央には、中央加熱コイルの火力表示部１２が設けられている。
【００１２】
外枠３の前部には、左加熱コイル、右加熱コイル、中央加熱コイル及びグリル調理器１６の加熱動作をそれぞれ操作するための上面操作部１３が設けられている。本体ケース１の前面の左側には、左加熱コイルの火力を微調節するための左火力調節ダイヤル１４が設けられ、本体ケース１の前面の右側には、右加熱コイルの火力を微調節するための右火力調節ダイヤル１５が設けられている。外枠３の後部を構成する後外枠３１は、天板２の端部上面に接着剤（シリコン接着剤）で取り付けられている（図５参照）。その後外枠３１には、吸排気カバー１７が取り外し可能に設けられている。吸排気カバー１７には、複数の通気穴が設けられている。
【００１３】
後外枠３１には、図２に示すように、その後外枠３１の長手方向に延びる長方形状の吸気口３２及び排気口３３が設けられている。また、後外枠３１の両端部と中央部には、ネジ３６の挿入穴３４が設けられている。更に、各挿入穴３４の近くには、吸排気カバー１７の震動を抑えるための防振ゴム３５が取り付けられている。後外枠３１の固定用のネジ３６は、頭部に設けられた十字穴（溝）に嵌入して、その頭部を覆うカバー部材３７を有している。このカバー部材３７は、例えば耐熱性を有する合成樹脂で構成され、ネジ３６の頭部と対向する部分には、頭部の十字穴に嵌入する十字状の凸部が形成されている。なお、本実施の形態では、カバー部材３７には、十字状の凸部が形成されているとしたが、ネジ３６の頭部に施された穴（一字穴や四角穴など）と同じ形状の凸部が形成されることはいうまでもない。
【００１４】
前記のように構成された加熱調理器においては、天板２の外周端部に装着された額縁状の外枠３を本体ケース１の上部に取り付けた後、外枠３の後外枠３１をネジ３６で本体ケース１に固定する。その場合、先ず、ネジ３６を挿入穴３４に挿入して、本体ケース１に設けられたネジ穴にねじ込んで固定する。次いで、ネジ３６の頭部に形成された十字穴に、カバー部材３７に設けられた十字形状の凸部を差し込んで、そのネジ３６の頭部を覆う。そして、吸排気カバー１７を防振ゴム３５及びカバー部材３７の上に載せて後外枠３１の上面を覆う。
【００１５】
以上のように実施の形態１によれば、ネジ３６の頭部の十字穴に、カバー部材３７に設けられた十字形状の凸部を差し込んで、ネジ３６の頭部を覆うようにしている。そのカバー部材３７により、加熱調理器を長期間清掃を行わなかった場合でも、ネジ３６の頭部に形成された十字穴に調理物や油などが入り込むことがなくなり、そのため、容易に工具でネジ３６を取り外したり、取り付けることができる。
【００１６】
実施の形態２．
図３は実施の形態２の加熱調理器において後外枠を固定する前の斜視図、図４は図３のカバー部材でネジの頭部を覆った状態の斜視図、図５は図４のカバー部材をＡ−Ａ方向から見て示す吸排気カバー、カバー部材、ネジ及び後外枠の断面図である。なお、実施の形態１と同様あるいは相当部分には同じ符号を付している。
【００１７】
実施の形態２の加熱調理器における後外枠３１には、図３に示すように、ネジ３６の挿入穴３４の近くに、カバー部材３７を着脱自在に固定するための穴３４ａが設けられている。カバー部材３７は、図４に示すように、上方から見て略Ｌ字状に形成されている。カバー部材３７の一方の端部裏面には、図３に示すように、前述の穴３４ａに差し込むための凸部３７ａが設けられ、カバー部材３７の他方の端部裏面には、下方に円形状の開口を有する凹部３７ｂが設けられている。この凹部３７ｂは、ネジ３６の頭部を収納するために設けられている。
【００１８】
前記のように構成された加熱調理器においては、実施の形態１と同様に、天板２の外周端部に装着された額縁状の外枠３を本体ケース１の上部に取り付けた後、外枠３の後外枠３１をネジ３６で本体ケース１に固定する。その場合、先ず、ネジ３６を挿入穴３４に挿入して、本体ケース１に設けられたネジ穴にねじ込んで固定する。次いで、ネジ３６の頭部をカバー部材３７の凹部３７ｂ内に収納すると共に、カバー部材３７の凸部３７ａを穴３４ａに差し込む。そして、図５に示すように、吸排気カバー１７をカバー部材３７の上に載せて後外枠３１の上面を覆う。その吸排気カバー１７は、加熱調理器を前方から見て前後方向（幅）の両端部が下方に延びている。これは、吸排気カバー１７が前後に動いても後外枠３１から外れないようにするためである。
【００１９】
以上のように実施の形態２によれば、ネジ３６の頭部をカバー部材３７の凹部３７ｂ内に収納すると共に、カバー部材３７の凸部３７ａを後外枠３１の穴３４ａに差し込むようにしている。そのため、加熱調理器を長期間清掃を行わなかった場合でも、ネジ３６の頭部に形成された十字穴に調理物や油などが入り込むことがなくなり、容易に工具でネジ３６を取り外したり、取り付けることができる。また、カバー部材３７を後外枠３１に取り付けるようにしているので、加熱調理器の使用中にカバー部材３７が外れることがなく、ネジ３６の頭部の汚れを確実に防止できる。
【００２０】
実施の形態３．
図６は実施の形態３の加熱調理器において後外枠を固定する前の斜視図、図７は図６のカバー部材を拡大して示す斜視図である。なお、実施の形態２と同様あるいは相当部分には同じ符号を付している。
【００２１】
実施の形態３の加熱調理器におけるカバー部材３７は、実施の形態２と同様に、上方から見て略Ｌ字状に形成されている。カバー部材３７の一方の端部裏面には、図７に示すように、後外枠３１の穴３４ａに差し込まれる凸部３７ａが設けられ、カバー部材３７の他方の端部裏面には、下方に円形状の開口を有する凹部３７ｂが設けられている。また、カバー部材３７には、長手方向の略中央の裏面に横手方向に延びる逆Ｖ字状の溝３７ｃが形成されている。このカバー部材３７は、その溝３７ｃの頂部（肉厚の薄い部分）を支点として、上下に回動自在に動かすことができる。
【００２２】
前記のように構成された加熱調理器においては、実施の形態２と同様に、天板２の外周端部に装着された額縁状の外枠３を本体ケース１の上部に取り付けた後、外枠３の後外枠３１をネジ３６で本体ケース１に固定する。その場合、先ず、ネジ３６を挿入穴３４に挿入して、本体ケース１に設けられたネジ穴にねじ込んで固定する。次いで、ネジ３６の頭部をカバー部材３７の凹部３７ｂ内に収納すると共に、カバー部材３７の凸部３７ａを穴３４ａに差し込む。そして、吸排気カバー１７をカバー部材３７の上に載せて後外枠３１の上面を覆う。また、ネジ３６の頭部を覆っているカバー部材３７の他方の端部を上方に引いた場合、カバー部材３７に形成された溝３７ｃの頂部を支点として、カバー部材３７の凹部３７ａがネジ３６の頭部から離れ、ネジ３６の頭部を露出させる。
【００２３】
以上のように実施の形態３によれば、後外枠３１に固定したまま、略中央の裏面に形成された溝３７ｃを支点として、他方の端部裏面に設けられた凹部３７ｂを上下動できるカバー部材３７でネジ３６の頭部を覆い被せるようにしている。このカバー部材３７により、実施の形態１、２の効果に加えて、カバー部材３７を後外枠３１に固定したまま、容易に工具でネジ３６を取り外したり、取り付けることができる。そのため、カバー部材３７を紛失することなく、天板２の取り外しや取り付け作業が容易となる。
【００２４】
実施の形態４．
図８は実施の形態４の加熱調理器において後外枠を固定する前の斜視図、図９は図８に示すＢ部分の拡大斜視図、図１０は図８の後外枠を吸排気カバーで覆う前の斜視図、図１１は図１０のネジをＣ−Ｃ方向から見て示す吸排気カバー、カバー部材、ネジ及び後外枠の断面図である。なお、実施の形態１と同様あるいは相当部分には同じ符号を付している。
【００２５】
実施の形態４の加熱調理器におけるカバー部材３８は、図８乃至図１０に示すように、複数の通気穴１７ａが設けられた吸排気カバー１７に設けられている。カバー部材３８は、図１１に示すように、吸排気カバー１７から上方に突出して外形が台形状に形成され、その内側に下方に円形状の開口を有する台形状の凹部３８ａが設けられている。この凹部３８ａは、後外枠３１に設けられた挿入穴３４に対向している。
【００２６】
前記のように構成された加熱調理器においては、実施の形態１と同様に、天板２の外周端部に装着された額縁状の外枠３を本体ケース１の上部に取り付けた後、外枠３の後外枠３１をネジ３６で本体ケース１に固定する。その場合、先ず、ネジ３６を挿入穴３４に挿入して、本体ケース１に設けられたネジ穴にねじ込んで固定する。次いで、吸排気カバー１７を防振ゴム３５の上に載せて後外枠３１の上面を覆う。この時、吸排気カバー１７に設けられたカバー部材３８は、ネジ３６の頭部と対向して上方に位置し、台形状の凹部３８ａによってネジ３６の頭部を覆う。
【００２７】
以上のように実施の形態４によれば、吸排気カバー１７を防振ゴム３５の上に載せて、後外枠３１の上面を覆ったときに、吸排気カバー１７に設けられたカバー部材３８がネジ３６の頭部を覆っている。このカバー部材３８により、前述した実施の形態と比べ、簡単にネジ３６の頭部をカバー部材３８で覆うことができる。そのため、加熱調理器を長期間清掃を行わなかった場合でも、ネジ３６の頭部に形成された十字穴に調理物や油などが入り込むことがなくなり、容易に工具でネジ３６を取り外したり、取り付けることができる。
【００２８】
実施の形態５．
図１２は実施の形態５の加熱調理器において後外枠を固定する前の斜視図、図１３は図１２のネジをＤ−Ｄ方向から見て示す吸排気カバー、カバー部材、ネジ及び後外枠の断面図である。なお、実施の形態４と同様あるいは相当部分には同じ符号を付している。
【００２９】
実施の形態５の加熱調理器におけるカバー部材３８は、図１２及び図１３に示すように、吸排気カバー１７に後外枠３１の挿入穴３４に対向する位置に設けられている。このカバー部材３８は、吸排気カバー１７を上方から見て円形状で、平らに形成されている。
【００３０】
前記のように構成された加熱調理器においては、実施の形態４と同様に、天板２の外周端部に装着された額縁状の外枠３を本体ケース１の上部に取り付けた後、外枠３の後外枠３１に設けられた挿入穴３４にネジ３６を挿入して、本体ケース１に設けられたネジ穴にねじ込んで固定する。そして、吸排気カバー１７を防振ゴム３５の上に載せて後外枠３１の上面を覆う。この時、吸排気カバー１７に設けられたカバー部材３８は、ネジ３６の頭部と対向して上方に位置し、ネジ３６の頭部を覆う。
【００３１】
以上のように実施の形態５によれば、吸排気カバー１７を防振ゴム３５の上に載せて、後外枠３１の上面を覆ったときに、吸排気カバー１７に設けられたカバー部材３８がネジ３６の頭部を覆っている。このカバー部材３８により、簡単にネジ３６の頭部をカバー部材３８で覆うことができる。そのため、加熱調理器を長期間清掃を行わなかった場合でも、ネジ３６の頭部に形成された十字穴に調理物や油などが入り込むことがなくなり、容易に工具でネジ３６を取り外したり、取り付けることができる。
【００３２】
実施の形態６．
図１４は実施の形態６の加熱調理器において後外枠を吸排気カバーで覆う前の斜視図、図１５は図１４のネジをＥ−Ｅ方向から見て示す吸排気カバー、カバー部材、ネジ及び後外枠の断面図である。なお、実施の形態４、５と同様あるいは相当部分には同じ符号を付している。
【００３３】
実施の形態６の加熱調理器におけるカバー部材３８は、実施の形態５と同様に、図１４に示すように、吸排気カバー１７に後外枠３１の挿入穴３４に対向する位置に設けられている。このカバー部材３８は、吸排気カバー１７を上方から見て円形状に形成され、その裏面には、円形の外周に設けられたＶ字状の溝１７ｂによって、下方に円形状の開口を有する凹部３８ａが形成されている。後外枠３１には、ネジ３６の挿入穴３４の外周に、カバー部材３８の凹部３８ａ内に嵌め込むリング状の凸部３９が形成されている。
【００３４】
前記のように構成された加熱調理器においては、実施の形態５と同様に、天板２の外周端部に装着された額縁状の外枠３を本体ケース１の上部に取り付けた後、外枠３の後外枠３１に設けられた挿入穴３４にネジ３６を挿入して、本体ケース１に設けられたネジ穴にねじ込んで固定する。そして、吸排気カバー１７を防振ゴム３５の上に載せると共に、カバー部材３８の凹部３８ａ内に、挿入穴３４の外周に形成されたリング状の凸部３９を嵌め込み、ネジ３６の頭部を略密閉状態で覆う。
【００３５】
以上のように実施の形態６によれば、吸排気カバー１７を防振ゴム３５の上に載せたときに、カバー部材３８の凹部３８ａ内に、挿入穴３４の外周に形成されたリング状の凸部３９が嵌め込まれる。このように構成することで、ネジ３６の頭部が略密閉状態で覆われるので、ネジ３６の頭部に形成された十字穴に調理物や油などが入り込む余地が無くなる。そのため、容易に工具でネジ３６を取り外したり、取り付けることができる。
【符号の説明】
【００３６】
１  本体ケース、２  天板、３  外枠、４  左載置部、５  右載置部、６  中央載置部、７  左表示部、８  火力表示部、９  右表示部、１０  火力表示部、１１  中央表示部、１２  火力表示部、１３  上面操作部、１４  左火力調節ダイヤル、１５  右火力調節ダイヤル、１６  グリル調理器、１７  吸排気カバー、１７ａ  通気穴、１７ｂ  溝、３１  後外枠、３２  吸気口、３３  排気口、３４  挿入穴、３４ａ  穴、３５  防振ゴム、３６  ネジ、３７  カバー部材、３７ａ  凸部、３７ｂ  凹部、３７ｃ  溝、３８  カバー部材、３８ａ  凹部、３９  リング状の凸部、４０  接着剤。
【図１】
2014074572.tif 000003
【図２】
2014074572.tif 000004
【図３】
2014074572.tif 000005
【図４】
2014074572.tif 000006
【図５】
2014074572.tif 000007
【図６】
2014074572.tif 000008
【図７】
2014074572.tif 000009
【図８】
2014074572.tif 000010
【図９】
2014074572.tif 000011
【図１０】
2014074572.tif 000012
【図１１】
2014074572.tif 000013
【図１２】
2014074572.tif 000014
【図１３】
2014074572.tif 000015
【図１４】
2014074572.tif 000016
【図１５】
2014074572.tif 000017